(57)【要約】【課題】  容易かつ迅速にメダルを縦状態で供給し、メダルを縦状態で送出することができるメダルゲーム装置を提供する。【解決手段】  ゲーム空間にメダル１４を縦状態で送出するメダル送出部１６と、メダル送出部１６にメダル１４を縦状態で供給するメダル供給部１８と、を含むメダルゲーム装置である。  メダル供給部１８は、投入されたメダル１４が滑落移動する略逆ハの字状側面を有するメダル案内路３４と、メダル案内路３４の下流端にて滑落移動するメダル１４と当接するメダル受け部３６とを含み、滑落移動するメダル１４がメダル受け部３６に当接した後、メダル１４とメダル案内路３４との接触位置をメダル１４の移動方向端側に移動させ、メダル１４を縦状態へ起立させる。【選択図】      図２
2005287703.tif 000002
【特許請求の範囲】
【請求項１】
ゲーム空間にメダルを縦状態で送出するメダル送出部と、
前記メダル送出部にメダルを縦状態で供給するメダル供給部と、
を含むメダルゲーム装置において、
前記メダル供給部は、
投入されたメダルが滑落移動する略逆ハの字状側面を有するメダル案内路と、
前記メダル案内路の下流端にて前記滑落移動するメダルと当接するメダル受け部と、
を備え、
前記滑落移動するメダルが前記メダル受け部に当接した後、前記メダルと前記メダル案内路との接触位置をメダルの移動方向端側に移動させ、前記メダルを縦状態へ起立させることを特徴とするメダルゲーム装置。
【請求項２】
請求項１において、
前記メダル案内路は、
その下流端にて縦状態で起立したメダルが当該メダル案内路の上流側方向に倒れない程度に下降傾斜して形成されていることを特徴とするメダルゲーム装置。
【請求項３】
ゲーム空間にメダルを縦状態で送出するメダル送出部と、
前記メダル送出部にメダルを縦状態で供給するメダル供給部と、
を含むメダルゲーム装置において、
前記メダル送出部は、
前記メダル供給部から供給されたメダルを受け入れるメダル受け入れ部を含み、
前記メダル供給部は、
投入されたメダルが滑落移動する略ハの字状側面を有するメダル案内路と、
前記メダル案内路の下流端にて前記滑落移動するメダルと当接するメダル受け部と、
を備え、
前記滑落移動するメダルが前記メダル受け部に当接した後、前記メダルと前記メダル案内路との接触位置をメダルの移動方向端側に移動させ、前記メダル受け入れ部にメダルを縦状態で供給することを特徴とするメダルゲーム装置。
【請求項４】
請求項３において、
前記メダル案内路は、
その下流端にて縦状態で起立したメダルが自重により前記メダル受け入れ部に受け入れられるよう下降傾斜して形成されていることを特徴とするメダルゲーム装置。
【請求項５】
請求項１〜４のいずれかにおいて、
前記メダル案内路は、
順次滑落移動するメダルの移動方向端を前記縦状態に起立されたメダルと当接させることにより、順次滑落移動するメダルの姿勢を縦状態に起立させ、前記メダル案内路にメダルを縦状態で順次整列させることを特徴とするメダルゲーム装置。
【請求項６】
請求項１〜５のいずれかにおいて、
前記メダル案内路は、
少なくとも下流端に、メダルを横状態で当該メダル案内路と２点で接触しながら滑落移動させ、メダルの移動方向端が前記メダル受け部又は前記縦状態に起立されたメダルと当接すると、当該メダルの姿勢を横状態から縦状態に起立静止させるメダルの起立動作エリアが設けられていることを特徴とするメダルゲーム装置。
【請求項７】
請求項１〜６のいずれかにおいて、
前記メダル受け部は、
前記メダル案内路を横状態で滑落移動するメダルの移動方向端が当接すると、当該メダル移動方向端の滑落移動方向をおよそ鉛直方向に変化させて、当該メダルの姿勢を横状態から縦状態で起立静止する姿勢に案内するメダル受け面を含むことを特徴とするメダルゲーム装置。
【請求項８】
請求項３、４及び請求項３に従属する請求項５〜７のいずれかにおいて、
前記メダル送出部は、
前記メダル受け入れ部のメダルをメダル送出方向に縦状態で打出すメダル打出し部を更に含み、
前記メダル打出し部は、
メダル送出方向に移動すると、前記メダル受け入れ部を閉塞して前記メダル受け部として機能し、メダル送出方向と逆方向に移動すると、前記メダル受け入れ部を開放して前記メダル案内路に縦状態で起立したメダルを１枚ずつ前記メダル受け入れ部に受け入れることを特徴とするメダルゲーム装置。
【請求項９】
請求項３、４、８及び請求項３に従属する請求項５〜７のいずれかにおいて、
前記メダル送出部は、
前記メダル受け入れ部のメダルをメダル送出方向に縦状態で押出すメダル押出し部と、
前記メダル押出し部に押出されたメダルを縦状態でメダル送出方向に案内するメダル通路と、
前記メダル通路のメダルが縦状態で落下装填されるメダル発射部と、
前記メダル発射部のメダルをメダル送出方向に縦状態で打出すメダル打ち出し部と、
を含み、
前記メダル押出し部は、
メダル送出方向に移動すると、前記メダル受け入れ部を閉塞して前記メダル受け部として機能し、メダル送出方向と逆方向に移動すると、前記メダル受け入れ部を開放して前記メダル案内路に縦状態で起立したメダルを１枚ずつ前記メダル受け入れ部に受け入れることを特徴とするメダルゲーム装置。
【請求項１０】
請求項９において、
前記メダル送出部は、
前記メダル押出し部が押し出したメダルが前記メダル発射部に落下装填されずに前記メダル通路内にある場合、前記メダル押出し部がメダル送出方向と逆方向に移動する際に、前記メダル通路内のメダルを前記メダル受け入れ部に押戻して前記メダル受け入れ部を閉塞するメダル押戻し部を更に含むことを特徴とするメダルゲーム装置。
【請求項１１】
請求項１〜１０のいずれかにおいて、
前記メダル案内路は、
ゲーム終了後前記メダル案内路内のメダルを排出可能に前記メダル送出部と着脱自在に形成されていることを特徴とするメダルゲーム装置。
【請求項１２】
請求項１〜１１のいずれかにおいて、
前記メダル供給部は、
複数のメダルを貯留可能なメダル貯留部を更に含み、
前記メダル貯留部は、
メダルを横状態で載置可能なメダル載置面と、
前記メダル載置面からプレーヤにより移動されたメダルを、メダルの自重により前記メダル案内路の上流端方向に移動させる下降傾斜面と、
前記下降傾斜面を移動するメダルを所定枚数ずつ横状態で前記メダル案内路の上流端に案内するメダル移動規制部と、
を含むことを特徴とするメダルゲーム装置。
【発明の詳細な説明】
【技術分野】
【０００１】
本発明は、メダルゲーム装置に関し、特に、ゲーム空間にメダルを縦状態で送出するメダルゲーム装置に関する。
【背景技術】
【０００２】
一般に、ゲーム装置においては、メダルを用いてゲームを行うメダルゲーム装置が知られている。
【０００３】
このようなメダルゲーム装置としては、例えば、銃を模したメダル打ち出し機構からゲームフィールドにメダルを縦状態で打ち出し、縦状態のままメダルを転がしてターゲットに当てるようにしたものがある。
【０００４】
このようなメダルゲーム装置では、プレーヤがメダル供給部にメダルを縦状態にして並べ、この並べられた縦状態のメダルを打ち出していた。
【０００５】
かかるメダルゲーム装置として、特開２００１−１３７５３２号公報に示すようなものが知られている。
【特許文献１】特開２００１−１３７５３２号公報
【発明の開示】
【発明が解決しようとする課題】
【０００６】
しかし、プレーヤがメダル供給部にメダルを縦状態にして並べるのには手間がかかる。特に、ゲーム途中でメダル供給部のメダルがなくなってしまったときなどは、プレーを中断して供給部にメダルを並べなければならないという問題がある。
【０００７】
そこで、本発明は、容易かつ迅速にメダルを縦状態で供給し、メダルを縦状態で送出することができるメダルゲーム装置を提供することを目的とする。
【課題を解決するための手段】
【０００８】
（１）前記目標を達成するため、本発明は、
ゲーム空間にメダルを縦状態で送出するメダル送出部と、
前記メダル送出部にメダルを縦状態で供給するメダル供給部と、
を含むメダルゲーム装置において、
前記メダル供給部は、
投入されたメダルが滑落移動する略逆ハの字状側面を有するメダル案内路と、
前記メダル案内路の下流端にて前記滑落移動するメダルと当接するメダル受け部と、
を備え、
前記滑落移動するメダルが前記メダル受け部に当接した後、前記メダルと前記メダル案内路との接触位置をメダルの移動方向端側に移動させ、前記メダルを縦状態へ起立させることを特徴とする。
【０００９】
本発明において、メダルとは例えば円盤形状の遊技媒体であればよく、遊技用のメダルに限らず、貨幣として流通している硬貨も含む。
【００１０】
また、本発明において、メダル案内路は、その全部またはその一部が略逆ハの字状側面を有するように形成されていればよい。
【００１１】
本発明によれば、メダル案内路を滑落移動したメダルを、メダル受け部により縦状態に起立させる。
【００１２】
従って、本発明によれば、メダル案内路にメダルを投入すれば、メダル案内路とメダル受け部により自動的にメダルが縦状態に起立されるので、人手でメダルを縦状態に並べる必要がない。従って、簡単な構成で、容易かつ迅速にメダルを縦状態でメダル送出部に供給し、メダルを縦状態で送出することができる。
【００１３】
（２）また、本発明は、
前記メダル案内路は、
その下流端にて縦状態で起立したメダルが当該メダル案内路の上流側方向に倒れない程度に下降傾斜して形成されていることを特徴とする。
【００１４】
本発明によれば、下降傾斜して形成されたメダル案内路により、メダル案内路の下流端にて縦状態で起立したメダルがメダル案内路の上流側方向に倒れることが防止される。
【００１５】
従って、メダル送出部に確実に縦状態でメダルを供給することができる。
【００１６】
（３）また、本発明は、
ゲーム空間にメダルを縦状態で送出するメダル送出部と、
前記メダル送出部にメダルを縦状態で供給するメダル供給部と、
を含むメダルゲーム装置において、
前記メダル送出部は、
前記メダル供給部から供給されたメダルを受け入れるメダル受け入れ部を含み、
前記メダル供給部は、
投入されたメダルが滑落移動する略ハの字状側面を有するメダル案内路と、
前記メダル案内路の下流端にて前記滑落移動するメダルと当接するメダル受け部と、
を備え、
前記滑落移動するメダルが前記メダル受け部に当接した後、前記メダルと前記メダル案内路との接触位置をメダルの移動方向端側に移動させ、前記メダル受け入れ部にメダルを縦状態で供給することを特徴とする。
【００１７】
また、本発明は、ゲーム空間にメダルを縦状態で送出するメダル送出部と、前記メダル送出部にメダルを縦状態で供給するメダル供給部と、を含むメダルゲーム装置において、前記メダル送出部は、前記メダル供給部から供給されたメダルを受け入れるメダル受け入れ部を含み、前記メダル供給部は、前記メダル受け入れ部に向かって下降傾斜し、投入されたメダルを横状態で滑落移動させて前記メダル受け入れ部に案内するメダル案内路と、前記メダル案内路の下流端にて前記横状態で滑落移動するメダルの移動方向端と当接することにより、当該メダルの姿勢を横状態から縦状態に起立静止させるメダル受け部と、を含み、前記メダル受け入れ部にメダルを縦状態で供給するように形成してもよい。
【００１８】
本発明によれば、メダル案内路を滑落移動したメダルを、メダル受け部により縦状態に起立静止させる。そして、縦状態に起立したメダルをメダル送出部のメダル受け入れ部に供給する。
【００１９】
従って、本発明によれば、メダル案内路にメダルを投入すれば、メダル案内路とメダル受け部により自動的にメダルが縦状態に起立されるので、人手でメダルを縦状態に並べる必要がない。従って、簡単な構成で、容易かつ迅速にメダルを縦状態でメダル送出部に供給し、メダルを縦状態で転動送出することができる。
【００２０】
（４）また、本発明は、
前記メダル案内路は、
その下流端にて縦状態で起立したメダルが自重により前記メダル受け入れ部に受け入れられるよう下降傾斜して形成されていることを特徴とする
本発明によれば、メダル受け入れ部に向かって下降傾斜しているメダル案内路の下流端にて縦状態で起立静止したメダルは、自重により更に滑落移動してメダル受け入れ部に受け入れられる。
【００２１】
従って、本発明によれば、メダル案内路の傾斜を利用した簡単な構成で、メダルをメダル受け入れ部に受け入れることができる。
【００２２】
（５）また、本発明は、
前記メダル案内路は、
順次滑落移動するメダルの移動方向端を前記縦状態に起立されたメダルと当接させることにより、順次滑落移動するメダルの姿勢を縦状態に起立させ、前記メダル案内路にメダルを縦状態で順次整列させることを特徴とする。
【００２３】
本発明によれば、既に起立したメダルがメダル受け部と同様に機能し、順次滑落移動してくるメダルも縦状態に起立される。そして、順次滑落移動してくるメダルをメダル案内路内に縦状態で整列させる。
【００２４】
従って、本発明によれば、メダル案内路にメダルを複数投入しても、メダル案内路と既に起立したメダルにより自動的に順次滑落移動してくるメダルが縦状態に起立されるので、連続したメダル投入操作により、複数のメダルをメダル案内路内に縦状態で整列させることができる。
【００２５】
（６）また、本発明は、
前記メダル案内路は、
少なくとも下流端に、メダルを横状態で当該メダル案内路と２点で接触しながら滑落移動させ、メダルの移動方向端が前記メダル受け部又は前記縦状態に起立されたメダルと当接すると、当該メダルの姿勢を横状態から縦状態に起立静止させるメダルの起立動作エリアが設けられていることを特徴とする。
【００２６】
本発明において、起立動作エリアとは、メダル案内路を滑落移動してきたメダルがメダル受け部に当接して起立動作を行なうエリアの他、順次滑落移動してくるメダルが既に起立しているメダルに当接して起立動作を行なうエリアも含む。
【００２７】
また、本発明において、メダル案内路は、その下流側の一部が起立動作エリアとされるよう構成されてもよいし、その全てが起立動作エリアとされるよう構成されてもよい。
【００２８】
また、本発明において、メダル案内路は、少なくとも起立動作エリアにおいて略ハの字状側面を有していればよい。例えば断面形状がＶ字形状や、Ｕ字形状の樋部材から構成して横状態のメダルが案内通路と２点で接触するようにしてもよいし、円筒形状のパイプ部材から構成して横状態のメダルが案内通路と２点で接触するようにしてもよい。
【００２９】
本発明によれば、少なくとも起立動作エリアにおいて、横状態のメダルがメダル案内路と２点で接触する。そして、滑落移動してきたメダルがメダル受け部又は前記縦状態に起立されたメダルと当接すると、メダルの滑落力を利用してメダルとメダル案内路の２点の接触点を結ぶ線を軸としてメダルが回動し、メダルを縦状態に起立することができる。従って、確実にメダルを縦状態に起立させることができる。
【００３０】
（７）また、本発明は、
前記メダル受け部は、
前記メダル案内路を横状態で滑落移動するメダルの移動方向端が当接すると、当該メダル移動方向端の滑落移動方向をおよそ鉛直方向に変化させて、当該メダルの姿勢を横状態から縦状態で起立静止する姿勢に案内するメダル受け面を含むことを特徴とする。
【００３１】
本発明において、メダル受け面は、メダル案内路を横状態で滑落移動するメダルの移動方向端が当接すると、当該メダル移動方向端の滑落移動方向をおよそ鉛直方向に変化させる面であればよく、およそ鉛直面と平行に設けられた壁状部材の一面により構成してもよいし、柱状部材の一面により構成してもよい。また、柱状部材を２本設けて、２本の柱状部材でメダルを受け止めてもよい。
【００３２】
本発明によれば、滑落移動してきたメダルがメダル受け面と当接すると、メダルの滑落移動方向がメダル受け面に沿っておよそ鉛直方向に変化するので、メダルは縦状態に起立される。そして、起立されたメダルは、メダル受け面に受け止められ、メダル受け面に沿って縦状態で静止することができる。従って、確実にメダルを縦状態に起立したまま静止させることができる。
【００３３】
（８）また、本発明は、
前記メダル送出部は、
前記メダル受け入れ部のメダルをメダル送出方向に縦状態で打出すメダル打出し部を更に含み、
前記メダル打出し部は、
メダル送出方向に移動すると、前記メダル受け入れ部を閉塞して前記メダル受け部として機能し、メダル送出方向と逆方向に移動すると、前記メダル受け入れ部を開放して前記メダル案内路に縦状態で起立したメダルを１枚ずつ前記メダル受け入れ部に受け入れることを特徴とする。
【００３４】
本発明によれば、メダル受け入れ部のメダルを打出すメダル打出し部が、メダル受け部としても機能する。
【００３５】
従って、本発明によれば、簡単な構成でメダルをメダル案内路内に起立させ、起立させたメダルを縦状態のまま受け入れ部に受け入れて、縦状態で送出することができる。
【００３６】
（９）また、本発明は、
前記メダル送出部は、
前記メダル受け入れ部のメダルをメダル送出方向に縦状態で押出すメダル押出し部と、
前記メダル押出し部に押出されたメダルを縦状態でメダル送出方向に案内するメダル通路と、
前記メダル通路のメダルが縦状態で落下装填されるメダル発射部と、
前記メダル発射部のメダルをメダル送出方向に縦状態で打出すメダル打ち出し部と、
を含み、
前記メダル押出し部は、
メダル送出方向に移動すると、前記メダル受け入れ部を閉塞して前記メダル受け部として機能し、メダル送出方向と逆方向に移動すると、前記メダル受け入れ部を開放して前記メダル案内路に縦状態で起立したメダルを１枚ずつ前記メダル受け入れ部に受け入れることを特徴とする。
【００３７】
本発明によれば、メダル受け入れ部のメダルを直接打ち出すのではなく、メダル押出し部により、まずメダル通路に沿って縦状態で押し出し、メダル発射部に落下装填させてからメダル打出し部により打ち出す。
【００３８】
従って、例えば、メダル案内路に多くのメダルが縦状態で整列し、メダル受け入れ部のメダルが他のメダルの重さによる圧力を大きく受けていても、小さなメダル打出し部の打出し力でメダルを打ち出すことができる。
【００３９】
また、本発明によれば、メダル受け入れ部のメダルを押し出すメダル押出し部が、メダル受け部としても機能する。従って、本発明によれば、簡単な構成でメダルをメダル案内路内に起立させ、起立させたメダルを縦状態のまま受け入れ部に受け入れて、縦状態で送出することができる。
【００４０】
（１０）また、本発明は、
前記メダル送出部は、
前記メダル押出し部が押し出したメダルが前記メダル発射部に落下装填されずに前記メダル通路内にある場合、前記メダル押出し部がメダル送出方向と逆方向に移動する際に、前記メダル通路内のメダルを前記メダル受け入れ部に押戻して前記メダル受け入れ部を閉塞するメダル押戻し部を更に含むことを特徴とする。
【００４１】
本発明によれば、メダル押出し部が押し出したメダルが前記メダル発射部に落下装填されずに前記メダル通路内にある場合に、メダル押出し部がメダル送り出し方向と逆方向に移動すると、メダル通路内に残っているメダルをメダル受け入れ部に押し戻す。
【００４２】
従って、本発明によれば、メダル受け入れ部及びメダル通路にメダルを１枚以上受け入れることが防止できるので、メダル詰まりを防止することができる。
【００４３】
（１１）また、本発明は、
前記メダル案内路は、
ゲーム終了後前記メダル案内路内のメダルを排出可能に前記メダル送出部と着脱自在に形成されていることを特徴とする。
【００４４】
本発明によれば、メダル案内路内のメダルを、メダル送出部から打出さなくとも排出することができる。従って、例えば、ゲーム終了時等にメダル案内路内にメダルが残っている場合でも、メダルを排出することができる。
【００４５】
（１２）また、本発明は、
前記メダル供給部は、
複数のメダルを貯留可能なメダル貯留部を更に含み、
前記メダル貯留部は、
メダルを横状態で載置可能なメダル載置面と、
前記メダル載置面からプレーヤにより移動されたメダルを、メダルの自重により前記メダル案内路の上流端方向に移動させる下降傾斜面と、
前記下降傾斜面を移動するメダルを所定枚数ずつ横状態で前記メダル案内路に案内するメダル移動規制部と、
を含むことを特徴とする。
【００４６】
本発明によれば、プレーヤが、メダル載置面に横状態で載置されたメダルを下降傾斜面に移動すれば、メダルが自重により下降傾斜面を滑落移動し、メダル移動規制部により、例えば、１枚乃至３枚ずつ横状態でメダル案内路の上流端に移動される。
【００４７】
このように、本発明によれば、メダルをメダル載置面に横状態で載置し、下降傾斜面に移動するという簡単なメダル移動操作により、多くのメダルを連続して投入しても、確実にメダルを所定枚数ずつ横状態にしてメダル案内路に移動させることができる。よって、より容易かつ迅速にメダルを縦状態でメダル送出部に供給することができる。
【発明を実施するための最良の形態】
【００４８】
以下、本発明を実施するための最良の形態について、図面を参照して詳細に説明する。
【００４９】
１．メダルゲーム装置の全体構成
図１は、本発明のメダルゲーム装置の一実施の形態を示す図である。
【００５０】
本実施の形態のメダルゲーム装置１０は、図１に示すように、筺体１１の手前側に銃を模したメダル発射装置１２が配設されている。メダル発射装置１２の前方には、ターゲットを表示する反射板としてのハーフミラー２０が配設され、ハーフミラー２０の上方には、ハーフミラー２０に表示する画像を映し出すための図示しないディスプレイが配設されている。一方、ハーフミラー２０の下方には、メダル発射装置１２側からハーフミラー２０の奥へとつながるメダル走行面２２が配設されている。
【００５１】
そして、本実施の形態のメダルゲーム装置１０では、プレーヤは、ハーフミラー２０に表示されたターゲットに狙いを定め、メダル発射装置１２からメダル１４を発射させ、ターゲットにメダル１４を当てるというゲームを楽しむ。
【００５２】
メダル発射装置１２は、メダル送出部１６と、メダル供給部１８を含む。メダル送出部１６は、メダル走行面２２にメダル１４を縦状態で発射するためのものであり、プレーヤが手で把持しやすい形状のグリップ部１７が形成されている。メダル供給部１８は、メダル送出部１６の横側上部に配設されており、メダル１４を貯留し、プレーヤのメダル移動操作によりメダル送出部１６にメダル１４を供給する。
【００５３】
２．メダル供給部の構成
メダル供給部１８は、図２に示すように、メダル送出部１６のグリップ部１７を右手で把持したプレーヤから見てメダル送出部１６の左側上部に配設されており、メダル貯留部２４と、メダル移動規制部３２と、メダル案内路３４と、メダル受け部３６とを含む。
【００５４】
本実施の形態では、メダル送出部１６のグリップ部１７を右手で把持したプレーヤが、左手でメダル貯留部２４のメダル１４を手前方向に寄せ集めると、メダル１４が自重によりメダル移動規制部３２を通過してメダル案内路３４を滑落移動し、メダル送出部１６に供給されるように形成されている。
【００５５】
メダル貯留部２４は、メダル送出部１６の横側上部に配設され、メダル送出部１６に供給するメダル１４を横状態で貯留する。そして、貯留したメダル１４がこぼれ落ちないように、周囲が壁面２５で囲われている。本実施の形態では、メダル貯留部２４は、プレーヤから見て奥側が多数のメダルを貯留するために相対的に幅広に形成され、一方、手前側がメダル送出部１６に供給するメダル１４を絞り込むために相対的に細く形成されている。
【００５６】
また、メダル貯留部２４の底面は、プレーヤから見て奥側から手前側に向かって、メダル載置面２６、上昇傾斜面２８、水平上段面２９、下降傾斜面３０が連続する構成となっている。メダル載置面２６は、ほぼ水平面と平行に形成されており、多数のメダル１４が横状態で載置可能となっている。メダル載置面２６から連続する上昇傾斜面２８は、メダル載置面２６から上昇傾斜するように形成されている。そして、上昇傾斜面２８と水平上段面２９を介して連続する下降傾斜面３０は、メダル送出部１６方向に、水平面に対して４５度の角度で下降傾斜するように形成されている。
【００５７】
従って、メダル載置面２６に載置されたメダル１４は、プレーヤにより手前方向に寄せ集められて下降傾斜面３０に移動されると、自重により下降傾斜面３０を滑落移動し、メダル送出部１６方向に案内される。
【００５８】
また、メダル載置面２６に載置されたメダル１４は、プレーヤにより上昇傾斜面２８を上るように移動させられなければ、下降傾斜面３０に移動することができないので、メダル１４が徒に下降傾斜面３０方向に移動してしまうことが防止される。従って、プレーヤは、メダル送出部１６に供給するメダル１４の量を容易に調整することができるとともにメダル詰まりを防止することができる。
【００５９】
メダル移動規制部３２は、下降傾斜面３０の下流端の壁面２５に設けられ、メダル１４が１枚ずつ横状態で壁面２５を通過することができる大きさのスリットとして構成されている。そして、下降傾斜面３０を滑落移動したメダル１４を、１枚ずつ横状態でメダル案内路３４に案内する。なお、スリットの大きさはこれに限らず、２〜３枚程度の所定枚数のメダルが通過できる大きさとしてもよい。
【００６０】
メダル案内路３４は、図２に示すように、略ハの字状側面を有しており、本実施の形態では、断面形状が上方に９０度の角度で開いたＶ字型である樋部材から構成されている。また、メダル案内路３４は、メダル貯留部２４からメダル送出部１６（後述するメダル受け入れ部４２）に向かって、水平面に対して４５度の角度で下降傾斜して配設されている。このメダル案内路３４は、その上流端が、メダル移動規制部３２のスリットの下方において壁面２５の外側に接続されている。一方、その下流端が、メダル送出部１６の側面に接続されている。
【００６１】
よって、メダル移動規制部３２のスリットを通過したメダル１４は、メダル案内路３４内に受け入れられ、自重によりメダル案内路３４を横状態で滑落移動し、メダル送出部１６の左側面に案内される。また、メダル案内路３４の断面形状がＶ字型であり、かつ、下降傾斜して配設されているので、メダル１４は横状態で、メダル案内路３４と２点で接触しながら滑落移動する。
【００６２】
メダル受け部３６は、メダル案内路３４の下流端に設けられており、およそ鉛直方向に平行なメダル受け面３８から構成されている。なお、本実施の形態では、図３に示すように、メダル受け部３６は、メダル送出部１６の一部の側面を用いて構成されている。メダル受け部３６は、図３に示すように、横状態でメダル案内路３４と２点で接触しながら滑落移動してきたメダル１４ａの移動方向端が当接すると、メダル１４ａの移動方向端の滑落移動方向をメダル受け面３８に沿っておよそ鉛直方向に変化させて、横状態のメダル１４ａをメダル１４ｂのように縦状態に起立する姿勢に変換するように形成されている。
【００６３】
以上、本実施の形態では、メダル案内路３４が、断面形状が上方に９０度の角度で開いたＶ字型である樋部材から構成された例を挙げて説明した。しかし、本発明を実現するためには、メダル案内路３４は、メダル１４が横状態でメダル案内路３４と２点で接触しながら滑落移動可能であって、メダル受け部３６と当接したメダル１４が縦状態に起立できる形状であればよい。
【００６４】
例えば、Ｖ字型の樋部材とした場合、Ｖ字型の開く角度は任意とすることができる。ま
た、図１１（Ａ）に示すように、断面Ｖ字形状の左右端を鉛直方向に立ち上げるように延出し、メダル案内壁３４ａを形成してもよい。このメダル案内壁３４ａにより、図１１（Ｂ）に示すように、メダル案内路３４を滑落移動するメダル１４が断面Ｖ字形状の一方の面に面接触して傾斜状態になることが防止され、確実にメダル１４が横状態でメダル案内路３４と２点で接触しながら滑落移動させることができる。このとき、図１１（Ａ）に示すように、左右のメダル案内壁３４ａの内幅は、メダル１４の直径より若干広めに形成することが好ましい。
【００６５】
また、図１１（Ｃ）に示すように、断面形状がＵ字型である樋部材や、図１１（Ｄ）に示すように、断面形状が円筒形のパイプ部材からメダル案内路３４を構成してもよい。なお、メダル案内路３４をパイプ部材から構成した場合には、パイプ部材内でメダル１４が縦状態に起立できるようにパイプ部材の内径を確保する必要がある。これらは、いずれも略逆ハの字状側面を有するメダル案内路となっている。
【００６６】
３．メダル案内路とメダル受け部の作用
以下、図４〜図７を用いて、メダル案内路３４を横状態で滑落移動してメダル受け部３６に当接したメダル１４が、縦状態に起立する姿勢に案内される作用について詳述する。
【００６７】
図４（Ａ）、図５（Ａ）、図６（Ａ）は、メダル案内路３４とメダル送出部１６の接続部分を真横から見た平面図である。また、図４（Ｂ）は、図４（Ａ）のＩ‐Ｉ線を切断面
とする断面図であり、図５（Ｂ）は、図５（Ａ）のII‐II線を切断面とする断面図であり
、図６（Ｂ）は、図６（Ａ）のIII‐III線を切断面とする断面図である。なお、前述したと
おり、本実施の形態では、メダル案内路３４の下流端に設けられたメダル受け部３６は、メダル送出部１６の一部の側面を用いて構成されている。
【００６８】
図４（Ａ）は、メダル案内路３４を横状態で滑落移動したメダル１４の移動方向端１５が、メダル受け部３６のメダル受け面３８に当接した瞬間を表わす図である。
【００６９】
図４（Ａ）のとき、メダル１４は、メダル案内路３４の傾斜角度とほぼ平行な状態にある。そして、メダル受け面３８と接点Ｄで当接しており、図４（Ｂ）に示すように、メダル案内路３４と接点Ｃ１と接点Ｃ２の２点で接触している。
【００７０】
ここで、図４（Ａ）に示すように、接点Ｃ１と接点Ｃ２には、メダル１４の自重Ｗが鉛直方向にかかっているので、メダル１４の移動方向端１５がメダル受け面３８と接点Ｄで当接すると、自重Ｗは、接点Ｃ１と接点Ｃ２から接点Ｄに向かう分力Ｐ１と、分力Ｐ１に直交する分力Ｐ２に分解することができる。
【００７１】
よって、接点Ｄには、分力Ｐ１と同じ大きさで同じ方向の力Ｐ３がかかっており、力Ｐ３は、更に、メダル受け面３８に沿って下方に向かう分力Ｐ４と、分力Ｐ４に直交する分力Ｐ５に分解することができる。すなわち、接点Ｄに当接したメダル１４の移動方向端１５には、分力Ｐ４がかかっており、メダル１４の移動方向端１５は、分力Ｐ４によってメダル受け面３８に沿って下方に滑落移動する。なお、分力Ｐ４の反対方向にメダル受け面３８の素材に応じた摩擦力も生じるが、分力Ｐ４が十分大きいときはメダル１４は滑落移動する。
【００７２】
すると、メダル１４は、メダル案内路３４と接点Ｃ１と接点Ｃ２の２点で接触しているので、図５（Ａ）に示すように、接点Ｃ１と接点Ｃ２を結ぶ線を軸として、メダル１４の移動方向終端１３が図中矢印Ａの方向に回動する。こうして、メダル１４の移動方向端１５がメダル受け面３８に沿って下方に滑落移動するに従って、メダル１４の姿勢が横状態から縦状態に起立していく。なお、このとき、図５（Ａ）、（Ｂ）に示すように、接点Ｃ１と接点Ｃ２もメダル案内路３４の下流方向（メダル１４の移動方向端側）に移動している。
【００７３】
そして、図６（Ａ）、（Ｂ）に示すように、メダル１４が横状態で滑落移動している際のメダル上面がメダル受け面３８に当接すると、メダル１４は、メダル受け面３８に押し付けられたまま起立静止する。
【００７４】
このように、メダル案内路３４を横状態で滑落移動したメダル１４の移動方向端１５が、メダル受け部３６のメダル受け面３８に当接すると、メダル受け面３８は、メダル１４の姿勢を横状態から縦状態に起立する姿勢に変換し、メダル受け面３８に沿って起立静止させる。
【００７５】
更に、図７に示すように、２枚目以降のメダル１４が、メダル案内路３４を順次滑落移動してくると、既に起立静止しているメダル１４の上流方向側面１４−１がメダル受け面３８と同様に機能し、２枚目以降のメダル１４の姿勢を横状態から縦状態に起立する姿勢に変換し、既に起立静止しているメダル１４の上流方向側面１４−１に沿って起立静止させる。そして、図７に示すように、順次滑落移動してくるメダル１４を次々に起立静止させ、メダル案内路３４内に、メダル１４を縦状態で整列させる。
【００７６】
以上説明したように、本実施の形態のメダル供給部１８によれば、貯留部２４に横状態で載置したメダル１４をプレーヤが手前方向に寄せ集めると、メダル１４が自重により下降傾斜面３０、メダル案内路３４を横状態で順次滑落移動する。そして、メダル受け面３８又はメダル１４の上流方向側面１４−１に沿って起立静止させ、メダル案内路３４内に、メダル１４を縦状態で整列させることができる。従って、プレーヤは、メダル貯留部２４における簡単なメダル移動操作により、メダル送出部１６に、縦状態に起立静止したメダル１４を供給することができる。
【００７７】
なお、本実施の形態では、メダル案内路３４が、メダル貯留部２４からメダル送出部１６に向かって、水平面に対して４５度の角度で下降傾斜して配設されている例を用いて説明したが、本発明を実施することができる形態はこれに限られるものではない。
【００７８】
例えば、金属製のメダル案内路３４とメダル受け部３６とメダル１４を用いて本実施の形態のメダルゲーム装置を構成し実験を行なうと、メダル案内路３４の配設角度が、水平面に対して３０度から限りなく９０度に近い角度までの範囲において、メダル案内路３４内にメダル１４が縦状態で整列する結果を得ることができた。
【００７９】
また、他の素材を用いてメダル案内路３４及びメダル受け部３６とメダル１４の摩擦係数を更に減らせば、メダル案内路３４の配設角度が、水平面に対して３０度より小さくても本発明を実施することができる。すなわち、本発明の範囲は、メダル案内路３４の配設角度により限定されるものではない。
【００８０】
４．メダル送出部の構成
次に、図８（Ａ）、（Ｂ）及び図１２（Ａ）、（Ｂ）を用いて、メダル供給部１８のメダル案内路３４とメダル受け部３６により縦状態で供給されたメダル１４を、ゲーム空間に縦状態で転動送出させるメダル送出部１６について説明する。
【００８１】
図１２（Ａ）、（Ｂ）は、メダル送出部１６とメダル供給部１８の連結部分を真上から見た概略断面図である。メダル送出部１６には、板状部材からなるメダル押出し部４４が設けられており、このメダル押出し部４４は、図１２（Ａ）中矢印Ｄと図１２（Ｂ）中矢印Ｅ方向に沿って前後にスライド可能に形成されている。図１２（Ａ）では、メダル押出し部４４は、前進した状態となっている。
【００８２】
メダル押出し部４４は、図１２（Ａ）の前進状態で、メダル案内路３４の下流端に対応する位置の側面が、メダル供給部１８のメダル受け面３８として機能する。そして、前述したとおり、メダル案内路３４を横状態で滑落移動してきたメダル１４が、メダル受け面３８に沿って起立静止される。更に、順次滑落移動してくるメダル１４は、先に起立静止したメダル１４の上流方向側面に沿って起立静止され、図１２（Ａ）に示すように、メダル案内路３４内に縦状態で整列される。
【００８３】
一方、図１２（Ｂ）に示すように、メダル押出し部４４が後退すると、メダル案内路３４の下流端に対応する２点鎖線で示す位置に、１枚のメダル１４が入る空間が形成されており、当該空間がメダル受け入れ部４２として機能する。そして、メダル受け入れ部４２の底部は、メダル案内路３４の下流端より低い位置に形成されており、メダル案内路３４の傾斜を利用してメダル１４の自重により、メダル案内路３４に縦状態に起立したメダル１４を１枚ずつ縦状態で受け入れるようになっている。
【００８４】
すなわち、メダル案内路３４に縦状態に起立したメダル１４は、メダル押出し部４４の側面に沿って起立静止しているので、メダル押出し部４４が図１２（Ｂ）の位置に後退するとメダル受け入れ部４２が開放され、メダル１４は自重によりメダル案内路３４からメダル受け入れ部４２に移動する。そして、メダル押出し部４４が前進すると、図１２（Ａ）に示すように、メダル受け入れ部４２にあったメダル１４が図中２点鎖線の位置に押し出される。
【００８５】
次に、図８（Ａ）、（Ｂ）を用いて、メダル送出部１６の動作について説明する。図８（Ａ）、（Ｂ）は、メダル送出部１６を真横から見た概略断面図である。メダル送出部１６は、図８（Ａ）に示すように、更にメダル通路６２と、メダル発射部６４と、発射走行部４６とを含む。
【００８６】
メダル押出し部４４は、図８（Ａ）に示すように、メダル押出し部４４の上下に形成された溝４３、溝４５に沿って、前後にスライド可能に形成されている。そして、メダル押出し部４４は、軸ピン４７を中心として回動する回動部材４８と、回動部材４８に設けられたスライドピン５０を介して接続されている。この回動部材４８は、スプリング４９により左回り方向に付勢された状態になっており、メダル押出し部４４は、スライドピン５０を介してスプリング４９により前方に付勢された状態になっている。
【００８７】
そして、回動部材４８は、回動部材４８に形成された切り欠き５２において、引き金部５４の当接ピン５６と当接する。ここで、引き金部５４は、軸ピン５８を中心として回動可能に形成されており、図８（Ｂ）に示すように、プレーヤが引き金部５４を図中矢印Ｂ方向に引くと、当接ピン５６が切り欠き５２の上部に当接し、スプリング４９の付勢力に抗して回動部材４８を右回り方向に回動させる。すると、スライドピン５０が、メダル押出し部４４に設けられたスライド穴６０を上下にスライドしながら、メダル押出し部４４を後方に移動させる。
【００８８】
このように、メダル押出し部４４は、図８（Ａ）のように、引き金部５４が引かれていない通常状態では、メダル受け入れ部４２を閉塞するとともに、その側面がメダル受け面３８として機能する。一方、図８（Ｂ）のように、引き金部５４が引かれると、メダル受け入れ部４２を開放してメダル１４をメダル案内路３４からメダル受け入れ部４２に受け入れる。
【００８９】
そして、プレーヤが引き金部５４を離すと、図８（Ａ）のように、スプリング４９の付勢力によりメダル押出し部４４が前進し、メダル受け入れ部４２のメダルを縦状態で前方に押し出す。すると、押し出されたメダル１４は、メダル受け入れ部４２の前方に設けられ、メダル受け入れ部４２の底部を構成するメダル通路６２を縦状態で転動送出される。
【００９０】
メダル発射部６４は、メダル通路６２の下方に設けられており、メダル通路６２から押し出されたメダル１４が縦状態で落下装填される。このメダル発射部６４の後方には、メダル打出し部６６が設けられており、このメダル打出し部６６は、引き金部５４と一体に形成されている。そして、図８（Ｂ）のように、プレーヤが引き金部５４を引くと、メダ
ル打出し部６６は、図中矢印Ｃ方向に移動してメダル発射部６４のメダル１４を打ち出す。
【００９１】
発射走行部４６は、メダル発射部６４から発射されたメダル１４が縦状態で走行可能に、所定の長さに設定されている。
【００９２】
こうして、本実施の形態では、メダル押出し部４４により、メダル案内路３４に縦状態で整列したメダル１４を１枚ずつ縦状態で転動送出し、メダル発射部６４に装填する。そして、メダル発射部６４に装填されたメダル１４を、メダル打出し部６６により打ち出す。従って、メダル案内路３４に多くのメダルが縦状態で整列して、メダル受け入れ部４２のメダル１４が他のメダル１４の重さによる圧力を大きく受けていても、確実に１枚ずつメダルを装填し、１枚ずつ打ち出すことができる。
【００９３】
なお、図１３に示すように、メダル受け入れ部４２のメダル１４Ａがメダル押出し部４４により中途半端に押し出され、メダル発射部６４に落下装填されないままメダル押出し部４４が後退してしまうと、次順のメダル１４Ｂが後続のメダル１４の重さによる圧力により、図示するように傾いて着座してしまうことがある。すると、メダル押出し部４４を再び前進させようとしても、メダル１４Ｂの前方端がメダル案内路３４につかえてメダル１４Ｂを押し出すことができない。
【００９４】
そこで、本実施の形態では、図１２（Ａ）、（Ｂ）に示すように、メダル押出し部４４からメダル１枚分より前方に、メダル押戻し部６８が、メダル押出し部４４に接続されて設けられており、メダル押出し部４４と連動してスライドするように形成されている。そして、メダル押戻し部６８は、メダル押出し部４４に押し出されたメダル通路６２のメダル１４がメダル発射部６４に落下装填されない状態にあるときは、メダル通路６２のメダル１４を再びメダル受け入れ部４２に押し戻し、メダル受け入れ部４２を閉塞する。
【００９５】
従って、このメダル押戻し部６８により、メダル１４がメダル通路６２に残った状態でプレーヤが再び引き金部５４を引いても、次のメダル１４がメダル受け入れ部４２に受け入れられないので、上述したようなメダル詰まりを防止することができる。
【００９６】
また、メダル発射部６４には、上部に押付け手段としての押付けローラ７０が設けられている。押付けローラ７０は、軸ピン７２を介して上下方向に回転可能に取り付けられており、図示しないスプリングを介して下方に付勢された状態となっている。
【００９７】
そして、メダル打出し部６６によってメダル１４が押付けローラ７０位置まで押し出されると、メダル１４の上部が押付けローラ７０に押し付けられ、メダル打出し部６６による押出し力をため込む状態となり、さらにメダル打出し部６６によってメダル１４が押し出されると、図示しないスプリングの付勢力に抗し、押付けローラ７０が軸ピン７２を中心に上方に押し上げられ、メダル１４が押付けローラ７０を乗り越えて勢いよく発射されるようになっている。
【００９８】
５．メダルゲーム装置の内部構成
次に、図９を用いて、メダルゲーム装置の内部構成について説明する。
【００９９】
ハーフミラー２０は、図９に示すように、ハーフミラー２０の上方に画面を下方に向けて配設したディスプレイ８０の画面を反射表示するようになっている。
【０１００】
このディスプレイ８０の画面には、ターゲットが表示され、このターゲットがハーフミラー２０に反射してプレーヤ８２に向けて表示されるようになっている。
【０１０１】
また、ハーフミラー２０の裏側には、照明８３が設けられ、ハーフミラー２０の下端位置を通過したメダル１４がハーフミラー２０を透過して視認できるようにし、メダル１４がハーフミラー２０上に表示されたターゲットにあたかも当たっているかのような演出を行うようになっている。
【０１０２】
メダル走行面２２は、メダル送出部１６側からハーフミラー２０側にかけて徐々に下降傾斜するような状態で設けられており、ハーフミラー２０の下端とメダル走行面２０との間にはメダル１４が縦状態で通過可能な隙間８４が設けられている。
【０１０３】
メダル走行面２２には、ハーフミラー２０の裏側で、終端位置にメダル１４の通過位置を検出する検出手段８６が設けられている。
【０１０４】
この検出手段８６は、本実施の形態では、複数のマイクロスイッチとされ、メダル１４が通過する際に接触して通過位置が検出されるようになっている。
【０１０５】
また、通過後のメダル１４は、スロープ８８を介してホッパ９０に収納され、ホッパ９０から返却ボックス９２へと返却され、そこからプレーヤ８２の手元へと搬送されるようになっている。
【０１０６】
なお、ホッパ９０において、余剰のメダル１４は収納ボックス９４へと収納されるようになっている。
【０１０７】
６．メダルゲーム装置の機能ブロック
図１０は、本実施の形態に係るメダルゲーム装置１０の機能ブロック図を示している。
【０１０８】
このメダルゲーム装置１０は、検出手段８６と、制御部９６と、ディスプレイ８０とを有している。
【０１０９】
検出手段８６は、メダル送出部１６から発射したメダル１４がメダル走行面２２上を走行して通過した際のメダル１４の通過位置を検出するようになっている。
【０１１０】
制御部９６は、メダルゲーム装置１０全体の制御を行うようになっている。
【０１１１】
例えば、制御部９６は、ゲーム結果を判定する結果判定部９８と、結果演算部１００とを有している。
【０１１２】
そして、ディスプレイ８０にターゲットを有するゲーム画面を表示させ、ハーフミラー２０に反射表示されたターゲットを狙って発射したメダル１４の検出部８６による検出位置と、ターゲットの位置とが一致しているかどうかを結果判定部９８で判定する。ここで、メダル１４の検出部８６による検出位置と、ターゲットの位置とが一致していると判定されると、ターゲットの破壊映像をディスプレイ８０に表示させると共に、ゲーム結果を結果演算部１００で演算処理してディスプレイ８０に表示させるようになっている。
【０１１３】
また、ゲームの状況に応じて、適宜スピーカ等から効果音を出力させるようになっている。
【０１１４】
ディスプレイ８０は、制御部９６の指示によりゲーム画面を表示するようになっている。
【０１１５】
７．他の実施の形態
本発明は、前記実施の形態に限定されるものではなく、本発明の要旨の範囲内において種々の形態に変形可能である。
【０１１６】
例えば、前記実施の形態では、メダル受け入れ部４２に受け入れたメダル１４を、メダル押出し部４４により押し出してメダル発射部６４に装填し、これをメダル打出し部６６で打ち出すようにしているが、この例に限らず、例えば、メダル受け入れ部４２の後側にメダル打出し部６６を設けて、メダル受け入れ部４２のメダル１４を直接打ち出すようにしてもよい。この場合、メダル打出し部６６の側面がメダル受け面３８として機能することとなる。
【０１１７】
また、前記実施の形態のメダル案内路３４を、メダル送出部１６に対して着脱自在に形成し、メダル案内路内に縦状態で整列したメダルを排出可能に形成してもよい。この場合、メダル供給部１８をメダル送出部１６或いは筺体１１とヒンジ部材等で接続し、水平面に平行に回動可能に形成して、メダル案内路３４がメダル送出部１６に対して着脱自在にしてもよい。
【０１１８】
また、前記実施の形態では、押付け手段として上下方向で回動可能な押付けローラを示したが、この例に限らず、弾性部材を固定して設けるようにすることも可能である。
【０１１９】
また、ディスプレイの画面をハーフミラーにて反射表示するようにしているが、不透明の反射板を用いることも可能である。
【０１２０】
さらに、ゲームの内容は、前記ターゲットを狙うゲームに限らず、種々のゲームを採用することができる。
【図面の簡単な説明】
【０１２１】
【図１】本発明の一実施の形態に係るメダルゲーム装置を示す全体斜視図である。
【図２】図１に示すメダル供給部の斜視図である。
【図３】図１に示すメダル供給部とメダル送出部の一部を示す斜視図である。
【図４】図４（Ａ）は、図１に示すメダル供給部とメダル送出部の接続部分を真横から見た平面図である。図４（Ｂ）は、図４（Ａ）のＩ‐Ｉ線を切断面とする断面図である。
【図５】図５（Ａ）は、図１に示すメダル供給部とメダル送出部の接続部分を真横から見た平面図である。図５（Ｂ）は、図５（Ａ）のII‐II線を切断面とする断面図である。
【図６】図６（Ａ）は、図１に示すメダル供給部とメダル送出部の接続部分を真横から見た平面図である。図６（Ｂ）は、図６（Ａ）のIII‐III線を切断面とする断面図である。
【図７】図１に示すメダル供給部とメダル送出部の接続部分を真横から見た平面図である。
【図８】図１に示すメダル送出部の概略縦断面図である。
【図９】図１に示すメダルゲーム装置の概略縦断面図である。
【図１０】本実施の形態に係るメダルゲーム装置の機能ブロック図である。
【図１１】本実施の形態に係るメダル案内路の例の概略縦断面図である。
【図１２】図１に示すメダル供給部とメダル送出部の接続部分を真上から見た概略断面図である。図１２（Ａ）は、本実施の形態のメダル押出し部が前進した状態を示し、図１２（Ｂ）は、本実施の形態のメダル押出し部が後退した状態を示す。
【図１３】本実施の形態のメダル押し戻し部が設けられていない場合の、メダル供給部とメダル送出部の接続部分を真上から見た概略断面図である。
【符号の説明】
【０１２２】
１０  メダルゲーム装置
１２  メダル発射装置
１４  メダル
１４−１  メダル上流方向側面
１５  メダル移動方向端
１６  メダル送出部
１８  メダル供給部
２４  メダル貯留部
３４  メダル案内路
３６  メダル受け部
３８  メダル受け面
４２  メダル受け入れ部
４４  メダル押出し部
４６  発射走行部
６２  メダル通路
６４  メダル発射部
６６  メダル打出し部
６８  メダル押戻し部
８０  ディスプレイ
８２  プレーヤ
８６  検出手段
９６  制御部
９８  結果判定部
【図１】
2005287703.tif 000003
【図２】
2005287703.tif 000004
【図３】
2005287703.tif 000005
【図４】
2005287703.tif 000006
【図５】
2005287703.tif 000007
【図６】
2005287703.tif 000008
【図７】
2005287703.tif 000009
【図８】
2005287703.tif 000010
【図９】
2005287703.tif 000011
【図１０】
2005287703.tif 000012
【図１１】
2005287703.tif 000013
【図１２】
2005287703.tif 000014
【図１３】
2005287703.tif 000015